(57)【要約】【課題】洗浄機の冷却性能を損なうことなく、防水性能を向上させる。【解決手段】洗浄液を加圧して吐出する洗浄機であって、タンクから流入路２６を介して供給される洗浄液を加圧するポンプ６０と、ポンプ６０の駆動源である電動モータ６１と、電動モータ６１の電源である二次電池６２と、電動モータ６１に設けられた吸込口および吸出口と、電動モータ６１の出力軸６１ａと一体回転し、吸出口から電動モータ６１の外部へ流出し、吸込口から電動モータ６１の内部へ流入する空気流を形成するファン７１と、有し、前記空気流の少なくとも一部は、流入路２６内の洗浄液との間の熱交換によって冷却された後に吸込口から電動モータ６１の内部に流入する。【選択図】図５
2015044148.tif 000002
【特許請求の範囲】
【請求項１】
洗浄液を加圧して吐出する洗浄機であって、
洗浄液が貯留されるタンクと、
前記タンクから流入路を介して供給される洗浄液を加圧するポンプと、
前記ポンプの駆動源である電動モータと、
前記タンク、前記ポンプおよび前記電動モータを収容する本体と、
前記電動モータの出力軸と一体回転し、前記本体の内部に空気流を形成するファンと、を有し、
前記流入路および前記電動モータは、前記空気流の流路上に位置する、
洗浄機。
【請求項２】
前記電動モータを制御する制御部を有し、
前記制御部は前記空気流の流路上に位置する、
請求項１記載の洗浄機。
【請求項３】
前記空気流は前記本体の内部で循環する、
請求項２記載の洗浄機。
【請求項４】
洗浄液を加圧して吐出する洗浄機であって、
洗浄液が貯留されるタンクと、
前記タンクから流入路を介して供給される洗浄液を加圧するポンプと、
前記ポンプの駆動源である電動モータと、
前記電動モータを制御する制御部と、
前記タンク、前記ポンプ、前記電動モータおよび前記制御部を収容する本体と、
前記電動モータの出力軸と一体回転し、前記本体の内部で空気流を循環させるファンと、を有する、
洗浄機。
【請求項５】
前記流入路、前記電動モータおよび前記制御部は前記空気流の流路上に位置する、
請求項４記載の洗浄機。
【請求項６】
洗浄液を加圧して吐出する洗浄機であって、
洗浄液が貯留されるタンクと、
前記タンクから流入路を介して供給される洗浄液を加圧するポンプと、
前記ポンプの駆動源である電動モータと、
前記電動モータに設けられた吸込口および吸出口と、
前記電動モータの出力軸と一体回転し、前記吸出口から前記電動モータの外部へ流出し、前記吸込口から前記電動モータの内部へ流入する空気流を形成するファンと、を有し、
前記空気流の少なくとも一部は、前記流入路内の洗浄液との間の熱交換によって冷却された後に前記吸込口から前記電動モータの内部に流入する、
洗浄機。
【請求項７】
前記流入路を形成する管部材の少なくとも一部が前記空気流の流路上に配置される、
請求項６記載の洗浄機。
【請求項８】
前記電動モータの周囲に、前記空気流の前記流路を形成する流路形成部材が設けられる、
請求項７記載の洗浄機。
【請求項９】
前記流路形成部材は、前記ポンプ、電動モータ、およびファンを収容する本体に一体成形されたリブであり、
前記リブは、前記流入路と前記電動モータとの間に、これら流入路と電動モータとを隔てるように配置される、
請求項８記載の洗浄機。
【請求項１０】
洗浄液を加圧して吐出する洗浄機であって、
洗浄液が貯留されるタンクと、
前記タンクから流入路を介して供給される洗浄液を加圧するポンプと、
前記ポンプの駆動源である電動モータと、を有し、
前記流入路と前記電動モータとが熱的に接続され、前記流入路内の洗浄液との間の熱交換によって前記電動モータが冷却される、
洗浄機。
【請求項１１】
前記流入路と前記電動モータとがヒートシンクを介して熱的に接続される、
請求項１０記載の洗浄機。
【請求項１２】
前記電動モータの電源となる二次電池を出し入れ可能な電池収容部を有し、
前記電池収容部は、第１ケース部材と、該第１ケース部材に前記二次電池の出し入れ方向に沿って突き合わされる第２ケース部材と、互いに突き合わされた前記第１ケース部材の端面と前記第２ケース部材の端面との間に介在する第１シール部材と、を備える、
請求項１〜１１のいずれかに記載の洗浄機。
【請求項１３】
前記第２ケース部材は、
前記二次電池が出し入れされる開口部と、
前記開口部を開閉する蓋と、
前記蓋によって前記開口部が閉じられた際に、前記蓋の内面と該内面が対向する前記開口部の周縁との間に介在する第２シール部材と、を有する、
請求項１２記載の洗浄機。
【請求項１４】
前記開口部が閉じられたことを検知する検知部を有し、
前記検知部によって前記開口部が閉じられたことが検知されない限り、前記電動モータが起動されない、
請求項１３記載の洗浄機。
【発明の詳細な説明】
【技術分野】
【０００１】
本発明は、加圧された液体を吐出して被洗浄物を洗浄する洗浄機に関する。
【背景技術】
【０００２】
上記のような洗浄機は、液体を加圧するためのポンプやポンプの駆動源である電動モータなどが収容された本体と、本体に接続される噴射装置とを有し、ポンプによって加圧された洗浄液が噴射装置から被洗浄物に向けて吐出（噴射）される（特許文献１参照）。なお、洗浄機から吐出（噴射）される液体は、水道水である場合もあれば、洗剤や研磨材などを含む液体である場合もある。そこで、本明細書では、洗浄機から吐出（噴射）される液体を“洗浄液”と総称する場合がある。
【先行技術文献】
【特許文献】
【０００３】
【特許文献１】特開２００５−３１３００８号公報
【発明の概要】
【発明が解決しようとする課題】
【０００４】
ポンプの駆動源である電動モータは動作中に熱を発する。したがって、電動モータの温度を所定の動作温度範囲内に維持するためには、電動モータを冷却する必要がある。そこで、従来の洗浄機では、電動モータの出力軸と一体回転するファンが設けられるとともに、電動モータが収容されている本体に複数の風穴や風窓（以下、“風窓”と総称する。）が設けられていた。ファンが回転すると、本体に設けられている風窓を通じて本体内部に外気が取り込まれるとともに、本体内部の空気が外部に排出される。すなわち、電動モータから発せられる熱によって温められた本体内部の空気が本体外に排出されるとともに、外気が本体内に導入され、電動モータの温度が所定の動作温度範囲内に維持される。よって、風窓の数が多いほど電動モータの冷却効果は向上する。換言すれば、本体に設けられた開口部の面積が大きいほど電動モータの冷却効果は向上する。
【０００５】
しかし、本体に風窓などの開口部が設けられていると、噴射装置から吐出された洗浄液が開口部から本体内部に侵入し、短絡や腐食などが発生する虞がある。また、洗浄機が洗浄液を貯留するタンクを備えている場合には、タンクに洗浄液を入れる際やタンク内の洗浄液を捨てる際にも開口部から本体内部に洗浄液が侵入する虞がある。よって、本体に設けられた開口部の面積が小さいほど洗浄機の防水性能は向上する。以上のように、洗浄機の冷却性能と防水性能とは相反する関係にある。
【０００６】
本発明の目的は、洗浄機の冷却性能を損なうことなく、防水性能を向上させることである。
【課題を解決するための手段】
【０００７】
本発明の洗浄機は、洗浄液を加圧して吐出する。本発明の一態様では、洗浄機は、洗浄液が貯留されるタンクと、前記タンクから流入路を介して供給される洗浄液を加圧するポンプと、前記ポンプの駆動源である電動モータと、前記タンク、前記ポンプおよび前記電動モータを収容する本体と、前記電動モータの出力軸と一体回転し、前記本体の内部に空気流を形成するファンと、を有する。そして、前記流入路および前記電動モータは、前記空気流の流路上に位置する。
【０００８】
本発明の他の態様では、前記電動モータを制御する制御部が設けられ、前記制御部は前記空気流の流路上に位置する。
【０００９】
本発明の他の態様では、前記空気流は前記本体の内部で循環する。
【００１０】
本発明の他の態様では、洗浄機は、洗浄液が貯留されるタンクと、前記タンクから流入路を介して供給される洗浄液を加圧するポンプと、前記ポンプの駆動源である電動モータと、前記電動モータを制御する制御部と、前記タンク、前記ポンプ、前記電動モータおよび前記制御部を収容する本体と、前記電動モータの出力軸と一体回転し、前記本体の内部で空気流を循環させるファンと、を有する。
【００１１】
本発明の他の態様では、前記流入路、前記電動モータおよび前記制御部は前記空気流の流路上に位置する。
【００１２】
本発明の他の態様では、洗浄液は、洗浄液が貯留されるタンクと、前記タンクから流入路を介して供給される洗浄液を加圧するポンプと、前記ポンプの駆動源である電動モータと、前記電動モータに設けられた吸込口および吸出口と、前記電動モータの出力軸と一体回転し、前記吸出口から前記電動モータの外部へ流出し、前記吸込口から前記電動モータの内部へ流入する空気流を形成するファンと、を有する。そして、前記空気流の少なくとも一部は、前記流入路内の洗浄液との間の熱交換によって冷却された後に前記吸込口から前記電動モータの内部に流入する。
【００１３】
本発明の他の態様では、前記流入路を形成する管部材の少なくとも一部が前記空気流の流路上に配置される。
【００１４】
本発明の他の態様では、前記電動モータの周囲に、前記空気流の前記流路を形成する流路形成部材が設けられる。
【００１５】
本発明の他の態様では、前記流路形成部材は、前記ポンプ、電動モータ、およびファンを収容する本体に一体成形されたリブである。前記リブは、前記流入路と前記電動モータとの間に、これら流入路と電動モータとを隔てるように配置される。
【００１６】
本発明の他の態様では、洗浄機は、洗浄液が貯留されるタンクと、前記タンクから流入路を介して供給される洗浄液を加圧するポンプと、前記ポンプの駆動源である電動モータと、を有する。そして、前記流入路と前記電動モータとが熱的に接続され、前記流入路内の洗浄液との間の熱交換によって前記電動モータが冷却される。
【００１７】
本発明の他の態様では、前記流入路と前記電動モータとがヒートシンクを介して熱的に接続される。
【００１８】
本発明の他の態様では、前記電動モータの電源となる二次電池を出し入れ可能な電池収容部が設けられる。前記電池収容部は、第１ケース部材と、該第１ケース部材に前記二次電池の出し入れ方向に沿って突き合わされる第２ケース部材と、互いに突き合わされた前記第１ケース部材の端面と前記第２ケース部材の端面との間に介在する第１シール部材と、を備える。
【００１９】
本発明の他の態様では、前記第２ケース部材は、前記二次電池が出し入れされる開口部と、前記開口部を開閉する蓋と、前記蓋によって前記開口部が閉じられた際に、前記蓋の内面と該内面が対向する前記開口部の周縁との間に介在する第２シール部材と、を有する。
【００２０】
本発明の他の態様では、前記開口部が閉じられたことを検知する検知部が設けられ、前記検知部によって前記開口部が閉じられたことが検知されない限り、前記電動モータが起動されない。
【発明の効果】
【００２１】
本発明によれば、洗浄機の冷却性能を損なうことなく、防水性能を向上させることができる。
【図面の簡単な説明】
【００２２】
【図１】第１の実施形態に係る洗浄機の本体およびタンクを示す外観斜視図である。
【図２】第１の実施形態に係る洗浄機の洗浄ガンを示す側面図である。
【図３】第１の実施形態に係る洗浄機の本体およびタンクを示す他の外観斜視図である。
【図４】図１，図３に示される本体およびタンクの縦断面図である。
【図５】図１，図３に示される本体の横断面図である。
【図６】図１，図３に示される本体およびタンクの他の縦断面図である。
【図７】図１，図３に示される本体およびタンクのさらに他の縦断面図である。
【図８】図５，図６に示される電池収容部を構成する第１ケース部材および第２ケース部材の斜視図である。
【図９】図８に示される第１ケース部材および第２ケース部材によって構成される電池収容部の断面図である。
【図１０】第１の実施形態に係る洗浄機の一変形例を示す断面図である。
【図１１】第１の実施形態に係る洗浄機の他の変形例を示す断面図である。
【発明を実施するための形態】
【００２３】
（第１の実施形態）
以下、本発明が適用された洗浄機の一例について図面を参照しながら詳細に説明する。本実施形態に係る洗浄機１は、図１に示される本体２０と、図２に示される噴射装置としての洗浄ガン３０とを有する。図１に示される本体２０と図２に示される洗浄ガン３０は耐圧ホース４０（図２）を介して接続される。図２に示される耐圧ホース４０の一端は洗浄ガン３０に固定され、耐圧ホース４０の他端は本体２０（図１）に着脱可能である。
【００２４】
図１に示されるように、本体２０の上にはタンク５０が搭載されており、本体２０およびタンク５０は全体として略直方体形の外観を呈する。本体２０の前面には、図２に示される耐圧ホース４０の一端が接続される接続口２１が設けられている。また、図３に示されるように、本体２０の背面にはメインスイッチ２２および調節ダイヤル２３が設けられている。メインスイッチ２２が操作されると、後述するポンプによって加圧された洗浄液が接続口２１（図１）から吐出され、接続口２１に接続されている耐圧ホース４０（図２）を介して洗浄ガン３０（図２）に供給される。そして、洗浄ガン３０に設けられているトリガ３１が操作されると、洗浄ガン３０に供給された洗浄液が洗浄ガン３０の先端から不図示の被洗浄物に向けて吐出される。
【００２５】
図示は省略するが、図２に示される洗浄ガン３０の先端には金属製のノズルが内蔵されている。洗浄ガン３０に供給された洗浄液は、洗浄ガン３０の内部に形成されている流路を介してノズルに流入し、ノズルの先端から吐出（噴射）される。なお、図３に示される調節ダイヤル２３を回転させると、ノズルから吐出される洗浄液の吐出圧力が変化（増減）する。
【００２６】
図４に示されるように、タンク５０は本体２０の上に重ねられている。具体的には、タンク５０の底面には複数の凸部５１が形成されている一方、本体２０の上面には複数の凹部２４が形成されている。そして、タンク底面に形成されている凸部５１が本体上面に形成されている凹部２４に嵌合されることにより、タンク５０が位置決めされている。また、図１，図３に示されるように、本体２０の前面および背面には、それぞれバックル２５が設けられている。一方、タンク５０の前面および背面には、それぞれ係止部５２が設けられている。本体２０に設けられているバックル２５がタンク５０に設けられている係止部５２に係止されると、タンク５０が本体２０に固定される。すなわち、２つのバックル２５が対応する係止部５２にそれぞれ係止されると、本体２０とタンク５０とが連結されて一体化される。一方、バックル２５の係止部５２への係止が解除されると、本体２０とタンク５０との連結が解除され、本体２０とタンク５０とが分離可能となる。よって、本体２０とタンク５０との連結を解除した上で、タンク５０に設けられている把手５３を掴んでタンク５０を持ち上げると、タンク５０が本体２０から分離され、タンク５０のみを持ち運ぶことができる。したがって、タンク５０に洗浄液（水道水）を入れる場合には、タンク５０のみを水道の蛇口が設置されている場所に持ち運ぶことができる。なお、タンク５０には捩じ込み式のキャップ５４が設けられており、タンク５０に洗浄液を入れる場合やタンク５０内の洗浄液を捨てる場合などにはキャップ５４が取り外される。
【００２７】
図４，図５に示されるように、本体２０には、タンク５０から供給される洗浄液を加圧するポンプ６０と、ポンプ６０の駆動源である電動モータ６１と、電動モータ６１の電源である二次電池６２と、が収容されている。本実施形態における二次電池６２は、定格電圧１４.４Ｖのリチウムイオン電池である。
【００２８】
ポンプ６０は、シリンダ６０ａと、シリンダ６０ａ内に往復動可能に収容されたプランジャ６０ｂと、を備えるプランジャポンプである。電動モータ６１の回転運動は、電動モータ６１とポンプ６０との間に介在する変換機構６３によってプランジャの往復運動に変換される。図５に示されるように、変換機構６３は、電動モータ６１の出力軸６１ａに設けられたピニオンと噛合うギヤを含むクランクシャフト６４を備えており、クランクシャフト６４は、コンロッド６５を介してポンプ６０のプランジャ６０ｂに連結されている。具体的には、コンロッド６５の一端はクランクシャフト６４のクランクピン（偏心ピン）に回動可能に連結され、コンロッド６５の他端はプランジャ６０ｂに回動可能に連結されている。すなわち、クランクピンの偏心量がプランジャ６０ｂのストローク量に相当する。
【００２９】
ここで、２つ以上のプランジャポンプを備える洗浄機では、それらプランジャポンプの位相をずらすことによって、プランジャの往復動やクランクシャフトの偏心回転に伴う振動を相殺させることができる。しかし、複数のプランジャポンプを駆動するためには大きな電力が必要になる。一方、本実施形態の洗浄機１は二次電池６２を電源としているので、消費電力をなるべく少なくして連続運転時間を延ばすことが求められる。このため、本実施形態に係る洗浄機１にはポンプ（プランジャポンプ）６０が１つしか設けられていない。すなわち、複数のプランジャポンプの位相をずらして振動を相殺させることはできない。そこで、図４，図５に示されるように、クランクシャフト６４にカウンタウェイト６６が設けられている。具体的には、クランクピンの根元にカウンタウェイト６６が設けられている。すなわち、カウンタウェイト６６はクランクシャフト６４と同軸上（偏心していない軸上）に設けられている。本実施形態に係る洗浄機１では、クランクシャフト６４と一体回転するカウンタウェイト６６によって、プランジャ６０ｂの往復動やクランクシャフト６４の偏心回転に伴う振動が抑制される。
【００３０】
図５に示されるように、本体２０の内部には、タンク５０（図４）とポンプ６０とを連通させる第１の流路２６が設けられている。また、図４に示されるように、本体２０の内部には、ポンプ６０と接続口２１とを連通させる第２の流路２７も設けられている。図４に示されるタンク５０に貯留されている洗浄液は、第１の流路２６を介してポンプ６０に供給され、加圧される。また、ポンプ６０によって加圧された洗浄液は第２の流路２７を介して接続口２１に送られる。そこで、以下の説明では、タンク５０とポンプ６０とを連通させる第１の流路２６を“流入路２６”と呼び、ポンプ６０と接続口２１とを連通させる第２の流路２７を“流出路２７”と呼ぶ。すなわち、タンク５０に貯留されている洗浄液は、流入路２６を介してポンプ６０に供給されて加圧される。また、ポンプ６０によって加圧された洗浄液は、流出路２７を介して接続口２１に送られる。
【００３１】
図５に示されるように、流入路２６の一端はシリンダ６０ａの端面に設けられている入口に接続されている。また、流入路２６の他端には、図６に示される接続プラグ２８が設けられている。一方、タンク５０の底面には逆止弁５５が設けられており、タンク５０が本体２０に重ねられると、接続プラグ２８によって逆止弁５５が開かれ、タンク５０と流入路２６（図５）とが連通する。具体的には、接続プラグ２８によって逆止弁５５の弁体５５ａが押し上げられ、弁座５５ｂから離れる。すると、弁体５５ａと弁座５５ｂとの間に不図示の隙間が生じ、この隙間を介してタンク５０と流入路２６（図５）とが連通する。なお、逆止弁５５には弁体５５ａを弁座５５ｂに押し付けるバネが設けられており、タンク５０が本体２０から引き上げられると、弁体５５ａが自動的に弁座５５ｂに押付けられて上記隙間が閉じられる。
【００３２】
図４に示されるように、シリンダ６０ａの入口および出口には、それぞれ一方向弁が設けられている。上記のようにしてタンク５０と流入路２６とが連通された状態でプランジャ６０ｂが後退すると（図４の紙面右側へ移動すると）、シリンダ６０ａの入口に設けられている一方向弁が開かれる一方、シリンダ６０ａの出口に設けられている一方向弁が閉じられ、シリンダ６０ａ内に洗浄液が流入する。次いで、プランジャ６０ｂが前進すると（図４の紙面左側へ移動すると）、シリンダ６０ａの入口に設けられている一方向弁が閉じられると共に出口に設けられている一方向弁が開かれ、洗浄液がシリンダ６０ａからノズル間で加圧されて、ノズルから例えば２．０ＭＰａで吐出される。
【００３３】
図５，図７に示されるように、電動モータ６１は筒状のケース７０（以下“モータケース７０”と呼ぶ。）を備えており、モータケース７０内に固定子および回転子が収容されている。電動モータ６１の出力軸６１ａの一端は、モータケース７０内において回転子に固定されており、出力軸６１ａの他端は、モータケース７０の端面から外に突出している。すなわち、モータケース７０の長手方向と出力軸６１ａの軸線方向とは平行である。図示は省略するが、出力軸６１ａが突出しているモータケース７０の一方の端面には吸出口が設けられ、他方の端面には吸込口が設けられている。換言すれば、吸込口は出力軸６１ａの一端側に設けられ、吸出口は出力軸６１ａの他端側に設けられている。以下の説明では、吸込口が設けられているモータケース７０の一方の端面“後端面”と呼び、吸出口が設けられているモータケース７０の他方の端面を“前端面”と呼ぶ。すなわち、吸込口はモータケース７０の後端面に設けられ、吸出口はモータケース７０の前端面に設けられている。また、出力軸６１ａはモータケース７０の前端面から突出している。
【００３４】
モータケース７０の前端面から突出している出力軸６１ａの突出部分には、ファン７１が一体回転可能に装着されている。すなわち、ファン７１は吸出口の前方に配置されている。なお、上記ピニオンは、ファン７１を貫通してファン７１から突出している出力軸６１ａの先端部分に設けられている。ファン７１が回転すると、モータケース７０の内部の空気が吸出口からモータケース７０の外部へ吸い出されるとともに、モータケース７０の外部の空気が吸込口からモータケース７０の内部へ吸い込まれる。すなわち、ファン７１は、本体２０の内部に、吸出口から電動モータ６１の外部へ流出し、吸込口から電動モータ６１の内部へ流入する空気流を形成する。
【００３５】
図５に示されるように、電動モータ６１の周囲には一対のリブ７２，７３が設けられている。リブ７２，７３は、本体２０に一体成形されており、電動モータ６１およびファン７１を挟んで対向している。換言すれば、電動モータ６１およびファン７１は一対のリブ７２，７３の間に配置されている。さらに、リブ７２，７３の一端は、モータケース７０の前端面を過ぎてファン７１よりも前方にまで至っている。一方、リブ７２，７３の他端は、モータケース７０の後端面と略同一の位置まで至っている。したがって、吸出口から電動モータ６１の外部に吸い出された空気は、リブ７２，７３の外側を通過して吸込口に至る。図５には、かかる空気流の流路が破線によって模式的に示されている。すなわち、リブ７２，７３は、空気流の流路を形成する流路形成部材である。
【００３６】
さらに、リブ７３は、流入路２６と電動モータ６１との間に、これらを隔てるように配置されている。したがって、リブ７３の外側を通過する空気流は、吸込口に至る過程で流入路２６を形成する管部材（本実施形態ではアルミパイプ）と接触し、流入路２６内の洗浄液との間の熱交換によって冷却される。換言すれば、流入路２６の少なくとも一部は、本体内部で循環する空気流の流路上に配置されている。なお、図７に示されるように、本体内部を循環する空気流の一部は、電動モータ６１の上方を通過し、電動モータ６１の上方に配置されている制御部としてのコントローラ８０を冷却する。ここで、電動モータ６１がブラシレスモータの場合、ブラシレスモータ６１を駆動するためのスイッチング素子（６個）が、コントローラ８０が搭載されている基板上に配置される。これらスイッチング素子はブラシレスモータ６１への駆動電力を制御するためにコントローラ８０からの制御信号によりスイッチングされる。このスイッチング動作によりスイッチング素子の温度が上昇する。従って、空気流によってコントローラ８０（スイッチング素子）が冷却されることにより、スイッチング素子の発熱が抑えられ、スイッチング素子の破損が抑制される。
【００３７】
以上のように、本実施形態に係る洗浄機１では、本体２０の内部で循環する空気流によって電動モータ６１やコントローラ８０が冷却される。さらに、その空気流は、洗浄液との間の熱交換によって冷却される。したがって、本体２０に風窓を設けて外気を取り込まなくとも、電動モータ６１やコントローラ８０は十分に冷却され、これらの温度は所定の動作温度範囲内に維持される。よって、本体２０の密閉度を高めて防水性能を向上させても、冷却性能が損なわれることはない。また、本体２０の密閉度を高めることにより、静粛性の向上も期待される。
【００３８】
次に、図５，図６などに示される二次電池６２の収容構造について説明する。これらの図面に示されるように、本体内部には、本体２０とは別体の部材によって形成された電池収容部９０が設けられている。電池収容部９０は、図８に示される第１ケース部材９１および第２ケース部材９２から構成されている。第１ケース部材９１は一端が開口し、第２ケース部材９２は両端が開口した略角筒状の形状を有する。図９に示されるように、第１ケース部材９１および第２ケース部材９２は、互いの端面同士が二次電池６２の出し入れ方向（図９の紙面上下方向）に沿って突き合わされており、互いに連通した第１ケース部材９１および第２ケース部材９２の内部空間によって、二次電池６２が収容される収容空間が形成されている。図８に示されるように、互いに突き合わされている第１ケース部材９１の端面と第２ケース部材９２の端面との間には、第１シール部材としてのゴムパッキン９３が介在している。ゴムパッキン９３は継ぎ目なく一連に形成されており、第１ケース部材９１と第２ケース部材９２の突合せ部の全周を一周している。また、ゴムパッキン９３は、第１ケース部材９１の端面と第２ケース部材９２の端面とに挟まれて圧縮され、両端面に密着している。
【００３９】
第２ケース部材９２の一面（第１ケース部材９１と対向する面とは反対側の面）には、二次電池６２が出し入れされる略矩形の開口部９４が形成されている。開口部９４の一辺には、開口部９４を開閉する蓋９５が回動可能に取り付けられており、蓋９５の内面には、第２シール部材としてのゴムパッキン９６が設けられている。ゴムパッキン９６は、蓋９５によって開口部９４が閉じられた際に、蓋９５の内面と該内面が対向する開口部９４の周縁との間に介在する。ゴムパッキン９６は継ぎ目なく一連に形成されており、蓋９５の内面と開口部９４の周縁との突合せ部の全周を一周する。
【００４０】
第２ケース部材９２の開口部９４の他の一辺には係止凹部９４ａが形成されており、蓋９５の一辺には、係止凹部９４ａに係止されるフック９５ａが形成されている。蓋９５を回動させてフック９５ａを係止凹部９４ａに係止させると、ゴムパッキン９６は、蓋９５の内面と開口部９４の周縁との間に挟まれて圧縮される。すなわち、ゴムパッキン９６が蓋９５の内面および開口部９４の周縁に密着する。
【００４１】
図９に示されるように、第２ケース部材９２には、蓋９５によって開口部９４（図８）が閉じられたことを検知する検知部としてのスイッチ９７が設けられている。蓋９５が所定の位置まで閉じられると、蓋９５によってスイッチ９７が押され、スイッチ９７から信号（解除信号）が出力される。コントローラ８０（図７）は、解除信号が入力され、かつ、メインスイッチ２２（図３）がオンされると、電動モータ６１を起動させる。換言すれば、解除信号が入力されないと、メインスイッチ２２がオンされても電動モータ６１を起動させない。すなわち、本実施形態に係る洗浄機１では、電池収容部９０の開口部９４が閉じられない限り、電動モータ６１は起動されない。なお、スイッチ９７は第２ケース部材９２の内部に配置されて防水されているため、洗浄液等によって壊れにくくなっている。
【００４２】
なお、図９に示されるように、電池収容部９０内には、電池ターミナル９８が配置されており、二次電池６２が電池収容部９０に収容されると、二次電池６２の端子が電池ターミナル９８の端子に接触して電気的に接続される。また、図３に示されるように、第２ケース部材９２に設けられている蓋９５は、本体２０の側面と略面一になり、本体２０の外周面の一部を形成する。このように、電池収容部９０の第１ケース部材９１と第２ケース部材９２とを、互いの端面同士が二次電池６２の出し入れ方向に沿って突き合わされる構成とした。互いのケースを二次電池６２の出し入れ方向と交差（直交）する方向（図９の紙面左右方向、或いは、図９の紙面奥行方向）に突き合わされる構成では、蓋９５と電池収容部９０との間にシール部材を設けたとしても、ケースの合わせ面から洗浄液等が電池収容空間内に浸入してしまう虞が高い。一方、本実施形態における上記構成では、合わせ面が本体２０の内部に位置するため、電池収容空間内への洗浄液の浸入を抑制することができる。更に、２つのゴムパッキン９３、９６により一層の防水性を確保することができる。
【００４３】
本発明は前記実施の形態に限定されるものではなく、その要旨を逸脱しない範囲で種々変更可能である。例えば、前記実施の形態に係る洗浄機１では、電動モータ６１やコントローラ８０は空冷されるが、電動モータ６１やコントローラ８０は水冷されてもよい。例えば、図１０に示されるように、流入路２６を形成するアルミパイプと電動モータ６１とが直接接触するように、流入路２６のレイアウトを変更する。すると、流入路２６と電動モータ６１とが熱的に接続され、電動モータ６１は、流入路２６内の洗浄液との間の熱交換によって冷却される。すなわち、流入路２６と電動モータ６１とが直接的に熱接続され、電動モータ６１が水冷される。その際、アルミパイプをコントローラ８０にも接触させれば、コントローラ８０も水冷することができる。
【００４４】
また、図１１に示されるように、流入路２６を形成するアルミパイプと電動モータ６１とが間接的に接触するように、流入路２６と電動モータ６１との間にヒートシンク１００を配置してもよい。すると、流入路２６と電動モータ６１とがヒートシンク１００を介して熱接続される。この場合、電動モータ６１は、ヒートシンク１００を介した洗浄液との間接的な熱交換によって冷却される。その際、コントローラ８０上にもヒートシンクを配置し、ヒートシンクとアルミパイプとを接触させれば、コントローラ８０も水冷することができる。
【００４５】
流入路２６を形成する管部材はアルミパイプに限られず、銅パイプ，真鋳パイプ、樹脂パイプなどに変えることができる。また、ポンプ６０は、ギヤポンプやダイヤフラムポンプに変えることができる。
【００４６】
前記実施の形態では、本体２０とタンク５０とが別体であった。しかし、本体２０とタンク５０とは一体であってもよい。例えば、タンク５０が本体２０に収容されている実施形態も本発明の範囲に含まれる。
【符号の説明】
【００４７】
１    洗浄機
２０    本体
２１    接続口
２２    メインスイッチ
２３    調節ダイヤル
２４    凹部
２５    バックル
２６    第１の流路（流入路）
２７    第２の流路（流出路）
２８    接続プラグ
３０    洗浄ガン
３１    トリガ
４０    耐圧ホース
５０    タンク
５１    凸部
５２    係止部
５３    把手
５４    キャップ
５５    逆止弁
５５ａ    弁体
５５ｂ    弁座
６０    ポンプ
６０ａ    シリンダ
６１    電動モータ
６１ａ    出力軸
６２    二次電池
６３    変換機構
６４    クランクシャフト
６５    コンロッド
６６    カウンタウェイト
７０    ケース（モータケース）
７１    ファン
７２，７３    リブ
８０    コントローラ
９０    電池収容部
９１    第１ケース部材
９２    第２ケース部材
９３，９６    ゴムパッキン
９４    開口部
９４ａ    係止凹部
９５    蓋
９５ａ    フック
９７    スイッチ
９８    電池ターミナル
１００    ヒートシンク
【図１】
2015044148.tif 000003
【図２】
2015044148.tif 000004
【図３】
2015044148.tif 000005
【図４】
2015044148.tif 000006
【図５】
2015044148.tif 000007
【図６】
2015044148.tif 000008
【図７】
2015044148.tif 000009
【図８】
2015044148.tif 000010
【図９】
2015044148.tif 000011
【図１０】
2015044148.tif 000012
【図１１】
2015044148.tif 000013